(57)【要約】【課題】本発明は、エネルギー消費に関する項目の積算値が、ユーザが決定した目標値を大幅に上回ってしまうことを抑制可能な空気調和機を提供することを目的とする。【解決手段】所定期間内におけるエネルギー消費に関する項目についての積算値の目標値を記憶する記憶手段３２と、前記所定期間の開始時から実際に要した前記項目についての積算値を算出する算出手段３３と、前記積算値の前記目標値に対する割合に基づいて運転状態を変更する制御手段３４とを備える。制御手段３４は、人間の温熱感覚に基づく快適性レベルを示すＰＭＶ値の変動が所定の範囲内となるように運転状態を変更する。【選択図】図２
2009270764.tif 000002
【特許請求の範囲】
【請求項１】
所定期間内におけるエネルギー消費に関する項目についての積算値の目標値を記憶する記憶手段（３２、１３２、２３２）と、
前記所定期間の開始時から実際に要した前記項目についての積算値を算出する算出手段（３３、１３３、２３３）と、
前記積算値の前記目標値に対する割合に基づいて運転状態を変更する制御手段（３４）とを備え、
前記制御手段は、人間の温熱感覚に基づく快適性レベルの変動が所定の範囲内となるように運転状態を変更することを特徴とする空気調和機。
【請求項２】
所定期間内におけるエネルギー消費に関する項目についての積算値の目標値を記憶する記憶手段（３３２）と、
前記所定期間の開始時から実際に要した前記項目についての積算値を算出する算出手段（３３３）と、
前記積算値と、当該積算値の単位時間あたりの増加量に前記所定期間の終了時までの残り時間を乗算して得られる値と、の和である推定値の、前記目標値に対する割合に基づいて運転状態を変更する制御手段（３４）とを備え、
前記制御手段は、人間の温熱感覚に基づく快適性レベルの変動が所定の範囲内となるように運転状態を変更することを特徴とする空気調和機。
【請求項３】
前記制御手段は、前記推定値が、前記目標値よりも大きい場合は、消費電力を減少させるように運転状態を変更することを特徴とする請求項２に記載の空気調和機。
【請求項４】
前記制御手段は、前記推定値が、前記目標値よりも小さい場合は、消費電力を増加させるように運転状態を変更することを特徴とする請求項２または請求項３に記載の空気調和機。
【請求項５】
前記制御手段は、室内温度の設定温度を上昇または低下させるとともに、吹出し口から室内に送風される風量及び風向きの少なくともいずれかを調整することにより運転状態を変更可能であることを特徴とする請求項１乃至請求項４のいずれか一項に記載の空気調和機。
【請求項６】
前記制御手段は、室内温度の設定温度を上昇させるとともに吹出し口から室内に送風される風量を上昇させ、または、室内温度の設定温度を低下させるとともに前記風量を低下させることにより運転状態を変更可能であることを特徴とする請求項５に記載の空気調和機。
【請求項７】
設定湿度に基づいて室内の湿度を調整する湿度調整手段を備え、
前記制御手段は、室内温度の設定温度を上昇させるとともに設定湿度を低下させ、または、室内温度の設定温度を低下させるとともに設定湿度を上昇させることにより運転状態を変更可能であることを特徴とする請求項１乃至請求項６のいずれか一項に記載の空気調和機。
【請求項８】
前記制御手段は、室内温度の設定温度のみを上昇または低下させることにより運転状態を変更可能であることを特徴とする請求項１乃至請求項７のいずれか一項に記載の空気調和機。
【請求項９】
設定湿度に基づいて室内の湿度を調整する湿度調整手段を備え、
前記制御手段は、設定湿度のみを上昇または低下させることにより運転状態を変更可能であることを特徴とする請求項１乃至請求項８のいずれか一項に記載の空気調和機。
【請求項１０】
前記制御手段は、吹出し口から室内に送風される風量のみを調整することにより運転状態を変更可能であることを特徴とする請求項１乃至請求項９のいずれか一項に記載の空気調和機。
【請求項１１】
前記制御手段は、吹出し口から室内に送風される風向きのみを調整することにより運転状態を変更可能であることを特徴とする請求項１乃至請求項１０のいずれか一項に記載の空気調和機。
【請求項１２】
前記制御手段は、前記積算値の前記目標値に対する割合が所定割合に達した場合に、消費電力を減少させるように運転状態を変更することを特徴とする請求項１乃至請求項１１のいずれか一項に記載の空気調和機。
【請求項１３】
前記制御手段は、前記積算値の前記目標値に対する割合が所定値だけ変化する度に、消費電力を減少させるように運転状態を変更することを特徴とする請求項１乃至請求項１２のいずれか一項に記載の空気調和機。
【請求項１４】
複数のモードのうちのいずれかのモードを設定可能であって、
前記制御手段は、モード毎に互いに異なるように運転状態を変更することを特徴とする請求項１乃至請求項１３のいずれか一項に記載の空気調和機。
【請求項１５】
前記エネルギー消費に関する項目は、消費電力量、電気料金、ＣＯ２排出量、及び、低効率運転が行われる運転時間のいずれか一つであることを特徴とする請求項１乃至請求項１４のいずれか一項に記載の空気調和機。
【発明の詳細な説明】
【技術分野】
【０００１】
本発明は、エネルギー消費に関する項目の積算値を算出可能な空気調和機に関するものである。
【背景技術】
【０００２】
室内機と室外機とを備えた空気調和機には、運転時の消費電力に基づいて消費した電気料金を算出し、その電気料金をユーザに知らせる機能を備えたものがある。このような空気調和機では、例えば運転停止後から所定時間が経過するまでにリモコンの「お知らせスイッチ」が押された場合に、空気調和機で消費した電気料金が室内機の表示部に表示される（例えば、特許文献１参照）。従って、ユーザは、リモコンの「お知らせスイッチ」を押すことで、空気調和機で消費した電気料金を確認することができる。
【特許文献１】特開２００１−７４２９９号公報
【発明の開示】
【発明が解決しようとする課題】
【０００３】
しかしながら、上記の空気調和機では、例えば、ユーザが所定期間内におけるエネルギー消費に関する項目としての電気料金の目標値を決めておいた場合でも、ユーザが気付かないうちに、空気調和機で消費した電気料金が目標値を大幅に上回ることがある。
【０００４】
そこで、本発明は、上記のような課題を解決するためになされたものであり、エネルギー消費に関する項目の積算値が、ユーザが決定した目標値を大幅に上回ってしまうことを抑制可能な空気調和機を提供することを目的とする。
【課題を解決するための手段】
【０００５】
第１の発明に係る空気調和機は、所定期間内におけるエネルギー消費に関する項目についての積算値の目標値を記憶する記憶手段と、前記所定期間の開始時から実際に要した前記項目についての積算値を算出する算出手段と、前記積算値の前記目標値に対する割合に基づいて運転状態を変更する制御手段とを備え、前記制御手段は、人間の温熱感覚に基づく快適性レベルの変動が所定の範囲内となるように運転状態を変更する。
【０００６】
この空気調和機では、所定期間内におけるエネルギー消費に関する項目についての積算値の目標値を設定しておくと、その所定期間の開始時から実際に要した前記項目についての積算値の目標値に対する割合に基づいて、空気調和機の運転状態が自動的に変更される。従って、前記項目についての積算値の目標値を設定しておくだけで、ユーザが気付かないうちに、実際に要した前記項目についての積算値が目標値を大幅に上回るのを防止することができる。
更に、運転状態の変更は、人間の温熱感覚に基づく快適性レベルの変動が所定の範囲内となるように行われるので、運転状態が自動的に変更されたときに、ユーザの快適性が大幅に変動することを抑制できる。これにより、ユーザに大きな不快感を与えることを防ぎつつ、目標値を考慮した運転を行うことが可能になる。
【０００７】
第２の発明に係る空気調和機は、所定期間内におけるエネルギー消費に関する項目についての積算値の目標値を記憶する記憶手段と、前記所定期間の開始時から実際に要した前記項目についての積算値を算出する算出手段と、単位時間あたりの前記項目の増加量に前記所定期間の終了時までの残り時間を乗算して得られる値と、前記積算値と、の和である推定値の、前記目標値に対する割合に基づいて運転状態を変更する制御手段とを備え、前記制御手段は、人間の温熱感覚に基づく快適性レベルの変動が所定の範囲内となるように運転状態を変更する。
【０００８】
この空気調和機では、所定期間内におけるエネルギー消費に関する項目についての積算値の目標値を設定しておくと、単位時間あたりのエネルギー消費に関する項目についての積算値の増加量に前記所定期間の終了時までの残り時間を乗算して得られる値と、前記所定期間の開始時から実際に要した前記項目についての積算値と、の和である推定値の、目標値に対する割合に基づいて、空気調和機の運転状態が自動的に変更される。即ち、所定期間内に消費されると推定されるエネルギー消費に関する項目についての積算値の、目標値に対する割合に基づいて、空気調和機の運転状態が変更される。従って、エネルギー消費に関する項目の積算値の目標値を設定しておくだけで、ユーザが気付かないうちに、実際に要した前記項目についての積算値が目標値を大幅に上回るのを防止することができる。
更に、運転状態の変更は、人間の温熱感覚に基づく快適性レベルの変動が所定の範囲内となるように行われるので、運転状態が自動的に変更されたときに、ユーザの快適性が大幅に変動することを抑制できる。これにより、ユーザに大きな不快感を与えることを防ぎつつ、目標値を考慮した運転を行うことが可能になる。
【０００９】
第３の発明に係る空気調和機は、第２の発明に係る空気調和機であって、前記制御手段は、前記推定値が、前記目標値よりも大きい場合は、消費電力を減少させるように運転状態を変更する。
【００１０】
この空気調和機では、推定値が目標値よりも大きい場合は、消費電力を減少させるように運転状態が変更される。これにより、簡易な構成で、実際に要したエネルギー消費に関する項目についての積算値が目標値を大幅に上回るのを防止することができる。
【００１１】
第４の発明に係る空気調和機は、第２の発明又は第３の発明に係る空気調和機であって、前記制御手段は、前記推定値が、前記目標値よりも小さい場合は、消費電力を増加させるように運転状態を変更する。
【００１２】
この空気調和機では、推定値が目標値よりも小さい場合は、消費電力を増加させるように運転状態が変更される。これにより、簡易な構成で、実際に要したエネルギー消費に関する項目についての積算値が目標値を大幅に下回るのを防止することができる。
この場合、推定値が目標値よりも小さい場合は、消費電力を増加させて、ユーザの快適性が向上するように運転状態を変更することができる。
【００１３】
第５の発明に係る空気調和機は、第１〜４の発明のいずれかの発明に係る空気調和機であって、前記制御手段は、室内温度の設定温度を上昇または低下させるとともに、吹出し口から室内に送風される風量及び風向きの少なくともいずれかを調整することにより運転状態を変更可能である。
【００１４】
この空気調和機では、室内温度の設定温度の変更に伴って、風量及び風向きの少なくともいずれかを変更することで、室内温度の設定温度のみを変更させる場合に比べて、人間の温熱感覚に基づく快適性レベルの変動を小さくすることが可能になる。これにより、運転状態の変更時にユーザが感じる不快感をより小さくすることができる。
【００１５】
第６の発明に係る空気調和機は、第５の発明に係る空気調和機であって、前記制御手段は、室内温度の設定温度を上昇させるとともに吹出し口から室内に送風される風量を上昇させ、または、室内温度の設定温度を低下させるとともに前記風量を低下させることにより運転状態を変更可能である。
【００１６】
この空気調和機では、冷房運転時においては、室内温度の設定温度を上昇させることで、消費電力を低下させることができるとともに、吹出し口から室内に送風される風量を上昇させることにより、設定温度の上昇によりユーザに与える不快感を減少させることができる。また、暖房運転時においては、室内温度の設定温度を低下させることで、消費電力を低下させることができるとともに、吹出し口から室内に送風される風量を低下させることにより、設定温度の低下によりユーザに与える不快感を減少させることができる。これにより、簡易な制御で、運転状態の変更時にユーザが感じる不快感をより小さくすることができる。
【００１７】
第７の発明に係る空気調和機は、第１〜６の発明のいずれかの発明に係る空気調和機であって、設定湿度に基づいて室内の湿度を調整する湿度調整手段を備え、前記制御手段は、室内温度の設定温度を上昇させるとともに設定湿度を低下させ、または、室内温度の設定温度を低下させるとともに設定湿度を上昇させることにより運転状態を変更可能である。
【００１８】
この空気調和機では、湿度調整手段により、設定湿度に基づいて室内の湿度を調整することが可能である。そして、冷房運転時においては、室内温度の設定温度を上昇させることで、消費電力を低下させることができるとともに、設定湿度を低下させることにより、設定温度の上昇によりユーザに与える不快感を減少させることができる。また、暖房運転時においては、室内温度の設定温度を低下させることで、消費電力を低下させることができるとともに、設定湿度を上昇させることにより、設定温度の低下によりユーザに与える不快感を減少させることができる。これにより、湿度調整手段を用いた簡易な制御で、運転状態の変更時にユーザが感じる不快感をより小さくすることができる。
【００１９】
第８の発明に係る空気調和機は、第１〜７の発明のいずれかの発明に係る空気調和機であって、前記制御手段は、室内温度の設定温度のみを上昇または低下させることにより運転状態を変更可能である。
【００２０】
この空気調和機では、ユーザの快適性が大幅に変動することを抑制しつつ、簡易な制御で、実際に要したエネルギー消費に関する項目の積算値が目標値を大幅に上回るのを防止することができる。
【００２１】
第９の発明に係る空気調和機は、第１〜８の発明のいずれかの発明に係る空気調和機であって、設定湿度に基づいて室内の湿度を調整する湿度調整手段を備え、前記制御手段は、設定湿度のみを上昇または低下させることにより運転状態を変更可能である。
【００２２】
この空気調和機では、ユーザの快適性が大幅に変動することを抑制しつつ、簡易な制御で、実際に要したエネルギー消費に関する項目の積算値が目標値を大幅に上回るのを防止することができる。
【００２３】
第１０の発明に係る空気調和機は、第１〜９の発明のいずれかの発明に係る空気調和機であって、前記制御手段は、吹出し口から室内に送風される風量のみを調整することにより運転状態を変更可能である。
【００２４】
この空気調和機では、ユーザの快適性が大幅に変動することを抑制しつつ、簡易な制御で、実際に要したエネルギー消費に関する項目の積算値が目標値を大幅に上回るのを防止することができる。
【００２５】
第１１の発明に係る空気調和機は、第１〜１０の発明のいずれかの発明に係る空気調和機であって、前記制御手段は、吹出し口から室内に送風される風向きのみを調整することにより運転状態を変更可能である。
【００２６】
この空気調和機では、ユーザの快適性が大幅に変動することを抑制しつつ、簡易な制御で、実際に要したエネルギー消費に関する項目の積算値が目標値を大幅に上回るのを防止することができる。
【００２７】
第１２の発明に係る空気調和機は、第１〜１１の発明のいずれかの発明に係る空気調和機であって、前記制御手段は、前記積算値の前記目標値に対する割合が所定割合に達した場合に、消費電力を減少させるように運転状態を変更する。
【００２８】
この空気調和機では、実際に要したエネルギー消費に関する項目の積算値が目標値を大幅に上回るのを、簡易な制御で、確実に防止することができる。
【００２９】
第１３の発明に係る空気調和機は、第１〜１２の発明のいずれかの発明に係る空気調和機であって、前記制御手段は、前記積算値の前記目標値に対する割合が所定値だけ変化する度に、消費電力を減少させるように運転状態を変更する。
【００３０】
この空気調和機では、実際に要したエネルギー消費に関する項目の積算値が目標値を大幅に上回るのを、簡易な制御で、確実に防止することができる。
【００３１】
第１４の発明に係る空気調和機は、第１〜１３の発明のいずれかの発明に係る空気調和機であって、複数のモードのうちのいずれかのモードを設定可能であって、前記制御手段は、モード毎に互いに異なるように運転状態を変更する。
【００３２】
この空気調和機では、複数のモードのそれぞれにおいて互いに異なるように運転状態が変更されるので、ユーザは、節約の度合に応じて複数のモードのいずれかを選択することができる。
【００３３】
第１５の発明に係る空気調和機は、第１〜１４の発明のいずれかの発明に係る空気調和機であって、前記エネルギー消費に関する項目は、消費電力量、電気料金、ＣＯ２排出量、及び、低効率運転が行われる運転時間のいずれか一つである。
【００３４】
この空気調和機では、所定期間内における、消費電力量、電気料金、ＣＯ２排出量、及び、低効率運転が行われる運転時間、のいずれかの項目についての積算値等に基づいて、運転状態が変更される。これにより、これらの積算値が目標値を大幅に上回るのを防止することができる。
【００３５】
尚、上記発明に係る空気調和機において、エネルギー消費に関する項目についての積算値の目標値に対する割合に関する情報を報知する報知手段とを備える構成としてもよい。この空気調和機では、所定期間内におけるエネルギー消費に関する項目についての積算値の目標値を設定しておくと、その所定期間内において実際に要したエネルギー消費に関する項目についての積算値の目標値に対する割合（消費割合）に関する情報が自動的に報知される。そのため、ユーザは、リモコンのスイッチを押す等の操作を行うことなく、前記消費割合を知ることができる。従って、ユーザは、前記消費割合の変化を把握することで、エネルギー消費に関する項目についての積算値が目標値を上回るのを抑制するために、空気調和機の使用を調整することが可能になる。また、前記消費割合に関する情報が自動的に報知されることにより省エネの意識が啓発されると共に、ユーザは、エネルギー消費に関する項目についての積算値を目標値以内におさめることで節約の達成感及び満足感を得ることができる。
【００３６】
また、前記報知手段は、前記積算値の前記目標値に対する割合が所定割合に達した場合に、前記情報を報知するように構成してもよい。この空気調和機では、ユーザは、前記消費割合に関する情報が報知されるタイミングを適宜変更することができる。
【００３７】
また、前記報知手段は、前記積算値の前記目標値に対する割合が所定値だけ変化する度に、前記情報を報知するように構成してもよい。この空気調和機では、ユーザは、前記消費割合の変化を確実に把握することができる。
【００３８】
また、室内機と、前記室内機との間で信号の送受信可能なリモコンとを備える空気調和機において、前記報知手段は、前記室内機及び前記リモコンの少なくとも一方に設けられた表示部への表示により前記情報を報知するように構成してもよい。この空気調和機では、前記消費割合に関する情報が表示部への表示により報知されるので、ユーザは前記消費割合を容易に確認することができる。
【００３９】
また、室内機と、前記室内機との間で信号の送受信可能なリモコンとを備える空気調和機において、前記報知手段は、前記室内機及び前記リモコンの少なくとも一方に設けられたスピーカからの音声により前記情報を報知するように構成してもよい。この空気調和機では、前記消費割合に関する情報がスピーカからの音声により報知されるので、ユーザは前記消費割合を確実に確認することができる。
【００４０】
また、所定期間内において実際に要したエネルギー消費に関する項目についての積算値の目標値に対する割合（消費割合）に関する情報を、例えばリモコンから要求したときだけ、本体、あるいは、リモコンの表示部に表示する、または、本体、あるいは、リモコンに設けられたスピーカからの音声により報知するように構成してもよい。この空気調和機では、自動での報知をしないことにより就寝中の睡眠を妨げるなど、報知が使用上の弊害となる場合を回避することができ、必要時にはリモコンによる操作で情報を入手することが可能となる。
【発明の効果】
【００４１】
以上の説明に述べたように、本発明によれば、以下の効果が得られる。
【００４２】
第１〜２の発明では、所定期間内におけるエネルギー消費に関する項目についての積算値の目標値を設定しておくだけで、ユーザが気付かないうちに、実際に要した前記項目についての積算値が目標値を大幅に上回るのを防止することができる。
更に、運転状態の変更は、人間の温熱感覚に基づく快適性レベルの変動が所定の範囲内となるように行われるので、運転状態が自動的に変更されたときに、ユーザの快適性が大幅に変動することを抑制できる。これにより、ユーザに大きな不快感を与えることを防ぎつつ、目標値を考慮した運転を行うことが可能になる。
【００４３】
第３の発明では、簡易な構成で、実際に要したエネルギー消費に関する項目についての積算値が目標値を大幅に上回るのを防止することができる。
【００４４】
第４の発明では、簡易な構成で、実際に要したエネルギー消費に関する項目についての積算値が目標値を大幅に下回るのを防止することができる。
【００４５】
第５〜７の発明では、室内温度の設定温度のみを変更させる場合に比べて、運転状態の変更時にユーザが感じる不快感をより小さくすることができる。
【００４６】
第８〜１１の発明では、ユーザの快適性が大幅に変動することを抑制しつつ、簡易な制御で、実際に要したエネルギー消費に関する項目の積算値が目標値を大幅に上回るのを防止することができる。
【００４７】
第１２、１３の発明では、実際に要したエネルギー消費に関する項目の積算値が目標値を大幅に上回るのを、簡易な制御で、確実に防止することができる。
【００４８】
第１４の発明では、ユーザは、節約の度合に応じて複数のモードのいずれかを選択することができる。
【００４９】
第１５の発明では、所定期間内における、消費電力量、電気料金、ＣＯ２排出量、及び、低効率運転が行われる運転時間、のいずれかの項目についての積算値が目標値を大幅に上回るのを防止することができる。
【発明を実施するための最良の形態】
【００５０】
［第１実施形態］
以下、本発明に係る空気調和機の第１実施形態について、図面を参照しつつ説明する。図１は、本発明の第１実施形態に係る空気調和機の斜視図である。図２は、図１の室内機の部分拡大図である。図３は、図１のリモコンを示す図である。
【００５１】
図１の空気調和機１は、室内の壁などに取り付けられる室内機２と、室外に設置される室外機（図示しない）と、ユーザが種々の操作を行うために室内機２との間で信号の送受信可能なリモコン１０とを備えている。そして、室内機２の前面には、実際に消費した電気料金（エネルギー消費に関する項目）の積算値の目標値に対する割合（以下、電気料金の消費割合と記載する）をユーザに知らせるための表示部３及びスピーカ４が設けられている。
【００５２】
表示部３は、図２に示すように、文字が表示される文字表示部３ａと、複数のランプが配置されたランプ部３ｂとを有している。文字表示部３ａは、電気料金の消費割合を文字でユーザに知らせるためのものである。また、ランプ部３ｂは、電気料金の消費割合が５０％、６０％、７０％、８０％、９０％に到達した場合に点灯する複数のランプを有している。図２では、電気料金の消費割合が８０％に到達した場合が図示されている。
【００５３】
スピーカ４は、電気料金の消費割合を音声でユーザに知らせるためのものである。従って、例えば電気料金の消費割合が８０％に到達した場合には、目標値の８０％の電気料金を消費した旨がスピーカ４から報知される。ここで、スピーカ４からのお知らせは、電気料金の消費割合が大きくなるにつれて次第に強い表現になるようにしてもよいし、音量を大きくしてもよい。
【００５４】
リモコン１０は、図３に示すように、表示部１１と、操作部１２とを有している。表示部１１には、ユーザが設定した設定温度を表示する設定温度表示部１１ａと、電気料金の消費割合を表示する電気料金表示部１１ｂとが含まれる。電気料金表示部１１ｂは、節約お知らせモード（節約モード）の設定内容と、電気料金の消費割合とを表示可能である。
【００５５】
また、操作部１２には、節約お知らせボタン１３と、節約設定ボタン１４とが含まれる。節約お知らせボタン１３は、現在までの電気料金の消費割合を確認する場合に用いられる。つまり、ユーザが、節約お知らせボタン１３を押すと、現在までの電気料金の消費割合がリモコン１０の電気料金表示部１１ｂに表示される。
【００５６】
節約設定ボタン１４は、節約お知らせモードを設定する場合に用いられる。本実施の形態では、節約お知らせモードの設定には、「本気節約モード」と、「らくらく節約モード」との２つのモードがあり、節約設定ボタン１４を押すたびに、「本気節約モード」及び「らくらく節約モード」のいずれかに切り換わる。また、節約設定ボタン１４を長押しすることで、節約お知らせモードの設定を解除可能である。
【００５７】
次に、本実施の形態の空気調和機１の制御ユニットの構成について、図４を参照して説明する。図４は、図１の空気調和機の制御ユニットの構成を示すブロック図である。制御ユニット３０は、節約モード記憶部３１と、目標値記憶部３２と、電気料金算出部３３と、制御部３４とを有している。また、制御ユニット３０には、室内機２の表示部３及びスピーカ４と、リモコン１０の表示部１１及び操作部１２とがそれぞれ接続されている。
【００５８】
節約モード記憶部３１は、空気調和機１における節約モードに関する種々の設定を記憶するものである。節約モード記憶部３１に記憶される設定には、ユーザが設定可能な複数の節約モードにおける詳細な設定が含まれる。本実施の形態では、上述したように、節約モードの設定には、「本気節約モード」と、「らくらく節約モード」との２つのモードがあるので、それらのモードにおける詳細な設定が記憶される。
【００５９】
各節約モードにおける詳細な設定には、電気料金の目標値の期間の設定と、電気料金の消費割合のユーザへのお知らせが開始される割合（例えば５０％）の設定と、ユーザへのお知らせが開始された後において上記割合がどれくらい増加する度にお知らせを行うかを示す増加幅（例えば１０％）の設定と、上記割合に応じて空気調和機１の運転状態を変更する場合の設定温度の温度幅の設定とが含まれる。
【００６０】
本実施の形態では、電気料金の目標値の期間の設定としては、１年間、１ヶ月間、１週間、１日などの設定が可能であって、ユーザによって選択された期間が記憶される。従って、空気調和機１では、節約モード記憶部３１に記憶された所定期間において実際に消費した電気料金の積算値が算出され、その積算値の上記の所定期間の目標値に対する消費割合がユーザに知らされる。
【００６１】
また、設定温度の温度幅の設定としては、「本気節約モード」においては第１温度幅（例えば１℃）が設定され、「らくらく節約モード」においては第２温度幅（例えば０．５℃）が設定されている。このように、設定温度の温度幅はモード毎にそれぞれ設定される。
【００６２】
目標値記憶部３２は、ユーザによって設定された各期間ごとの電気料金の目標値を記憶する。第１実施形態では、ユーザは、空気調和機１の取扱説明書に記載された例えば地域別の目安表等を参考にし、１年間のトータル電気料金の目標値を設定すると、月、週、日ごとの目標値が自動的に計算されるようになっている。そのため、目標値記憶部３２は、１年間、１ヶ月間、１週間、１日ごとの目標値を記憶している。
【００６３】
電気料金算出部３３は、空気調和機１での消費電力に基づいて電気料金の積算値を算出する。そして、ユーザに知らせる電気料金の消費割合は、電気料金算出部３３で算出された電気料金の積算値と、目標値記憶部３２に記憶された各期間の目標値とに基づくものである。
【００６４】
制御部３４は、空気調和機１の各部の動作などを制御するものである。従って、制御部３４は、室内機２の表示部３に表示される内容、スピーカ４から報知される内容、及び、リモコン１０の表示部１１に表示される内容等を制御可能である。
【００６５】
次に、第１実施形態の空気調和機１の動作手順について、図５を参照して説明する。図５は、第１実施形態の空気調和機の動作手順を示すフローチャートを示す図である。
【００６６】
まず、ユーザによって電気料金の目標値が設定される（ステップＳ１）。ここでは、１年間のトータル電気料金の目標値が設定されることで、月、週、日ごとの目標値が自動的に算出され、目標値記憶部３２に記憶される。
【００６７】
月、週、日ごとの目標値の算出方法としては、例えば、以下に示す（１）単純分割方法、または、（２）トレンド推測方法等を用いることができる。
【００６８】
（１）単純分割方法
１年間の電気料金の目標値をＭｙとすると、日の目標値Ｍｄは、Ｍｄ＝Ｍｙ／３６５として算出される。また、週の目標値Ｍｗは、Ｍｗ＝Ｐｄ×７として算出される。また、月の目標値Ｍｍは、Ｍｍ＝Ｍｙ／１２として算出される。
【００６９】
（２）トレンド推測方法
今後１年間の電気料金の目標値をＭｙ、過去１年間に消費した電気料金をＭａ、過去１年間における各月に消費した電気料金をＭ（ｘ）、今後各月の目標値Ｍｍ（ｘ）とする。
即ち、過去１年における１月の電気料金をＭ（１）、２月の電気料金をＭ（２）、・・・、１２月の電気料金をＭ（１２）とし、今後１年間における１月の目標値をＭｍ（１）、２月の目標値をＭｍ（２）、・・・、１２月の目標値をＭｍ（１２）とする。
このとき各月の目標値Ｍｍ（ｘ）は、
Ｍｍ（ｘ）＝Ｍｙ×｛Ｍ（ｘ）／Ｍａ}
として算出される。
この場合、例えば、過去１年間において、２月及び８月の電気料金（Ｍ（２）及びＭ（８））が、他の月の電気料金よりも高い場合は、目標値の設定において、２月の電気料金の目標値Ｍｍ（２）、及び、８月の電気料金の目標値Ｍｍ（８）は、他の月の電気料金の目標値よりも高く設定されることになる。
【００７０】
各月における、日の目標値Ｍｄ（ｘ）は、月の目標値Ｍｍ（ｘ）に基づいて、
Ｍｄ（ｘ）＝Ｍｍ（ｘ）／{その月の日数}
として、単純分割して算出することができる。
また、週の目標値Ｍｗ（ｘ）は、
Ｍｗ（ｘ）＝Ｍｄ（ｘ）×７
として算出することができる。
【００７１】
尚、各月における、週の目標値Ｍｗ（ｘ）についても、各月の目標値Ｍｍ（ｘ）の算出方法と同様にして、過去の電気料金のデータを参考に、１ヶ月における各週の電気料金のトレンドに合わせて、目標値を各週によって異なるように算出することもできる。
【００７２】
また、日の目標値Ｍｄ（ｘ）についても、同様にして、過去の電気料金のデータを参考に、１週間における曜日毎の電気料金のトレンドに合わせて、目標値を曜日毎に異なるように算出することもできる。例えば、過去の電気料金のデータにおいて、土曜日、日曜日の電気料金が、平日の電気料金よりも高い場合は、目標値の設定において、土曜日、日曜日の電気料金の目標値を、平日の電気料金の目標値よりも高く設定してもよい。
【００７３】
上述のように、月、週、日ごとの目標値が算出された後、ユーザによって現在までの電気料金の消費割合を確認するか否か（節約お知らせボタン１３が押されたか否か）を判断する（ステップＳ２）。ここで、ユーザが現在までの電気料金の消費割合を確認する場合（Ｓ２：ＹＥＳ）には、現在までの電気料金の消費割合がユーザに知らされる（ステップＳ３）。このとき、節約お知らせボタン１３が押される度に、今日、今日までの１週間、今日までの１ヶ月間、今日までの１年間の目標値に対する電気料金の消費割合がユーザに知らされる。また、本実施の形態において電気料金の消費割合がユーザに知らされる場合には、室内機２の表示部３での表示、スピーカ４からの報知及びリモコン１０の表示部１１への表示の全てが行われ、以下の説明においても同様である。
【００７４】
次に、ユーザによって節約モードの設定が行われる（ステップＳ４）。つまり、ユーザは、「本気節約モード」及び「らくらく節約モード」のいずれかを選択すると共に、電気料金の目標値の期間を１年間、１ヶ月間、１週間、１日のいずれかを選択する。従って、ユーザに知らせる電気料金の消費割合は、ユーザによって選択された電気料金の目標値の期間に基づくものである。
【００７５】
そして、「本気節約モード」が設定されたか否かが判断される（ステップＳ５）。ここで、「本気節約モード」が設定された場合（Ｓ５：ＹＥＳ）には、電気料金の消費割合が目標値の５０％に到達したか否かが繰り返し判断される（ステップＳ６）。そして、電気料金の消費割合が目標値の５０％に到達した場合（Ｓ６：ＹＥＳ）には、電気料金の消費割合がユーザに知らされる（ステップＳ７）。
【００７６】
その後、定数Ｎが０に設定され（ステップＳ８）、電気料金の消費割合が目標値の６０＋Ｎ％に到達したか否かが繰り返し判断される（ステップＳ９）。ここでは、定数Ｎは０に設定されているので、電気料金の消費割合が目標値の６０％に到達したか否かが繰り返し判断される。そして、電気料金の消費割合が目標値の６０％に到達した場合（Ｓ９：ＹＥＳ）には、電気料金の消費割合がユーザに知らされる（ステップＳ１０）。
【００７７】
このとき、空気調和機１における室内温度の設定温度が第１温度幅（１℃）だけ変更されるとともに吹出し風量が変更される（ステップＳ１１）。吹出し風量は、図６及び図７に示す室温と風量とＰＭＶ値との関係表に基づいて変更される。尚、当該関係表は、節約モード記憶部３１に予め記憶されている。
【００７８】
（ＰＭＶについて）
本実施形態においては、人間の温熱感覚に基づく快適性レベルの指標としてＰＭＶを用いている。以下、ＰＭＶについて簡単に説明する。
人間の快適性を考えて、適正な室内温熱環境を確保するにあたっては、暑さ、寒さに対する人間の温熱感覚を考慮することが重要である。これに影響を与える変数として、（１）空気温度、（２）相対湿度、（３）平均輻射温度、（４）気流速度、（５）活動量(人体の内部発熱量)、（６）着衣量などがある。
人の発熱量は対流による放射量、輻射による放熱量、人からの蒸発熱量、呼吸による放熱量および蓄熱量の合計で、これらの熱平衡式が成立している場合は、人体が熱的に中立であり、暑くも寒くもない快適状態である。逆に熱平衡式がくずれた場合に人体は暑さ寒さを感じる。デンマーク工科大学のFanger教授は1967年に快適方程式の導出を発表し、これを出発点として人体の熱負荷と人間の温冷感を、欧米人の多数の被験者のアンケートから統計分析して結び付け、ＰＭＶ( Predicted Mean Vote:予測平均回答)を提案した。温冷感の指標となるＰＭＶは、上記（１）〜（６）の変数に基づいて算出される数値であり、次の７段階評価尺度による数値である。
＋３:暑い
＋２:暖かい
＋１:やや暖かい
０:どちらでもない、快適
−１:やや涼しい
−２:涼しい
−３:寒い
（空気調和・衛生工学会(編)：空気調和・衛生工学便覧 I巻 第１編・第３章”参照）
【００７９】
図６は、夏場を想定した室温と風量とＰＭＶ値との関係表を示す図である。また、図７は、冬場を想定した室温と風量とＰＭＶ値との関係表を示す図である。尚、輻射温度、相対湿度、活動量については、図６、図７ともに、輻射温度は室温とし、相対湿度５０％、活動量１．１ｍｅｔとして、ＰＭＶ値を算出している。着衣量については、夏場を想定した図６の関係表においては、０．４ｃｌｏとして、冬場を想定した図７の関係表においては、１．０ｃｌｏとしてＰＭＶ値を算出している。また、図６、図７における、表右上の網掛け部分は風量５ｍ／ｓ以上の領域を示し、表左下の網掛け部分は、風量０ｍ／ｓの領域を示す。
【００８０】
ステップＳ１１において、空気調和機１が冷房運転中である場合においては、図６に示す関係表が参照される。そして、例えば、設定温度２７℃、風量０．２５ｍ／ｓで運転されている場合は、設定温度が、第１温度幅（１℃）だけ上昇されて、２８℃に変更されるとともに、風量が０．６５ｍ／ｓに変更される（図６において、Ｃ１で示す運転状態からＣ２で示す運転状態に変更される）。即ち、設定温度が第１温度幅だけ上昇しても、ＰＭＶ値が変動しないように風量が変更される。
【００８１】
また、例えば、設定温度２８℃、風量１．６ｍ／ｓで運転されている場合（図６においてＣ３で示す運転状態の場合）は、設定温度が２９℃に上昇する。このとき、ＰＭＶ値が変動しないようにするためには、風量は５．６ｍ／ｓに上昇させる必要がある。ここで、例えば、空気調和機１において最大風速が５．０ｍ／ｓまでに制限されているような場合は、ＰＭＶ値の変動が所定の範囲内となるような空気調和機１にて許容される風量に変更される。例えば、ＰＭＶ値の変動が、０．２５以内となるような風量に変更される。この場合、風量は、３．６ｍ／ｓに変更される（図６において、Ｃ３で示す運転状態からＣ４で示す運転状態に変更される）。
【００８２】
一方、ステップＳ１１において、空気調和機１が暖房運転中である場合においては、図７に示す関係表が参照される。そして、例えば、設定温度２５℃、風量１．７ｍ／ｓで運転されている場合は、設定温度が、第１温度幅（１℃）だけ低下されて、２４℃に変更されるとともに、風量が０．４９ｍ／ｓに変更される（図７において、Ｈ１で示す運転状態からＨ２で示す運転状態に変更される）。即ち、設定温度が第１温度幅だけ低下しても、ＰＭＶ値が変動しないように風量が変更される。
【００８３】
また、例えば、設定温度２３℃、風量０．１８ｍ／ｓで運転されている場合は、設定温度が２２℃に低下する。このとき、図７に示すように、少なくとも０ｍ／ｓよりも大きい風量を保ちつつ、ＰＭＶ値が変動しないようにすることはできない。このような場合は、ＰＭＶ値の変動が、所定の範囲内となるような風量に変更される。例えば、ＰＭＶ値の変動が、０．２５以内となるような風量に変更される。この場合、風量は、０．１７ｍ／ｓに変更される（図７において、Ｈ３で示す運転状態からＨ４で示す運転状態に変更される）。
【００８４】
尚、本実施形態においては、風量の変動による消費電力の変動は、設定温度の変動による消費電力の変動に比べて小さく、上述のように風量を増加させる場合においても、冷房運転時においては、設定温度を０．５℃上昇させることで、空気調和機１の消費電力を低下させることができる。また、暖房運転時においては、設定温度を０．５℃低下させることで、空気調和機１の消費電力を低下させることができる。
【００８５】
上述のように、運転状態が変更された後、電気料金の消費割合が目標値の１００％に到達したか否かが判断される（ステップＳ１２）。ここで、電気料金の消費割合が目標値の１００％に到達した場合（Ｓ１２：ＹＥＳ）には、電気料金の消費割合がユーザに知らされる（ステップＳ１４）。その後、「本気節約モード」においては、空気調和機１の運転が停止される（ステップＳ１５）。
【００８６】
一方、目標値の１００％に到達していない場合（Ｓ１２：ＮＯ）には、定数ＮがＮ＋１０に変更され（ステップＳ１３）、ステップＳ９に戻って同様の処理が繰り返される。つまり、定数Ｎは１０ごとに変更されるので、次は、電気料金の消費割合が目標値の７０％に到達したか否かが繰り返し判断され、その後、目標値の８０％、９０％に到達したか否かが順に判断されることになる。
【００８７】
ところで、「らくらく節約モード」が設定された場合つまり「本気節約モード」が設定されなかった場合（Ｓ５：ＮＯ）にも同様に、電気料金の消費割合が目標値の５０％に到達したか否かが繰り返し判断される（ステップＳ１６）。そして、電気料金の消費割合が目標値の５０％に到達した場合（Ｓ１６：ＹＥＳ）には、その旨がユーザに知らされる（ステップＳ１７）。
【００８８】
その後、定数Ｎが０に設定され（ステップＳ１８）、電気料金の消費割合が目標値の６０＋Ｎ％に到達したか否かが繰り返し判断される（ステップＳ１９）。ここでは、定数Ｎは０に設定されているので、電気料金の消費割合が目標値の６０％に到達したか否かが繰り返し判断される。そして、電気料金の消費割合が目標値の６０％に到達した場合（Ｓ１９：ＹＥＳ）には、その旨がユーザに知らされる（ステップＳ２０）。
【００８９】
また、このとき、空気調和機１における室内温度の設定温度が第２温度幅（０．５℃）だけ変更されるとともに吹出し風量が変更される（ステップＳ２１）。
ここで、空気調和機１が冷房運転中である場合においては、設定温度は、第２温度幅だけ上昇される。そして、風量は、「本気節約モード」で説明したのと同様に、図６に示す関係表が参照され、設定温度の上昇とともにＰＭＶ値が変動しないように、または、ＰＭＶ値の変動が０．２５以内となるように変更される。
【００９０】
一方、空気調和機１が暖房運転中である場合においては、設定温度は、第２温度幅だけ低下される。そして、風量は、「本気節約モード」で説明したのと同様に、図７に示す関係表が参照され、設定温度の低下とともにＰＭＶ値が変動しないように、または、ＰＭＶ値の変動が０．２５以内となるように変更される。
【００９１】
その後、電気料金の消費割合が目標値の１００％に到達したか否かが判断される（ステップＳ２２）。
【００９２】
ここで、電気料金の消費割合が目標値の１００％に到達した場合（Ｓ２２：ＹＥＳ）には、電気料金の消費割合がユーザに知らされる（ステップＳ２４）。また、このとき、空気調和機１における室内温度の設定温度が第２温度幅だけ変更される（ステップＳ２５）。その後、電気料金の消費割合のお知らせと設定温度の変更とが交互に繰り返される。
【００９３】
一方、目標値の１００％に到達していない場合（Ｓ２２：ＮＯ）には、定数ＮがＮ＋１０に変更され（ステップＳ２３）、ステップＳ１９に戻って同様の処理が繰り返される。つまり、定数Ｎは１０ごとに変更されるので、次は、目標値の７０％に到達したか否かが繰り返し判断され、その後、目標値の８０％、９０％に到達したか否かが順に判断されることになる。
【００９４】
本実施の形態では、例えば１日の目標値に対する電気料金の消費割合がユーザに知らされる場合において、ある１日における電気料金の積算値が１日の目標値よりも小さいときには、そのときの電気料金の積算値と目標値との差が次の日に繰り越されてもよい。つまり、この場合には、前日の電気料金の積算値と目標値との差が次の日の目標値に加算されるので、次の日においては、前日の電気料金の積算値と目標値との差が加算された目標値に対する消費割合がユーザに知らされることになる。
【００９５】
以上説明したように、第１実施形態に係る空気調和機１は、所定期間内における電気料金の目標値を記憶する目標値記憶部３２と、前記所定期間の開始時から実際に要した電気料金の積算値を算出する電気料金算出部３３と、前記積算値の前記目標値に対する割合に基づいて運転状態を変更する制御部３４とを備えている。そして、制御部３４は、ＰＭＶ値の変動が０．２５以内となるように運転状態を変更する。
【００９６】
この空気調和機１では、所定期間内における電気料金の目標値を設定しておくと、その所定期間の開始時から実際に要した電気料金の積算値の目標値に対する割合に基づいて、空気調和機１の運転状態が自動的に変更される。従って、電気料金の目標値を設定しておくだけで、ユーザが気付かないうちに、実際に要した電気料金の積算値が目標値を大幅に上回るのを防止することができる。
【００９７】
更に、運転状態の変更は、ＰＭＶ値の変動が０．２５以内となるように行われるので、運転状態が自動的に変更されたときに、ユーザの快適性が大幅に変動することを抑制できる。これにより、ユーザに大きな不快感を与えることを防ぎつつ、目標値を考慮した運転を行うことが可能になる。尚、ＰＭＶ値の変動が０．２５以内となるように運転状態の変更が行われる場合に限らず、適宜、許容されるＰＭＶ値の変動量を変更して実施することができる。
【００９８】
また、空気調和機１は、冷房運転時において、室内温度の設定温度を上昇させるとともに、吹出し口から室内に送風される風量を調整可能である。また、暖房運転時において、室内温度の設定温度を低下させるとともに、吹出し口から室内に送風される風量を調整可能である。
【００９９】
この空気調和機では、室内温度の設定温度の変更に伴って、風量を変更することで、室内温度の設定温度のみを変更させる場合に比べて、ＰＭＶ値の変動を小さくすることが可能になる。これにより、運転状態の変更時にユーザが感じる不快感をより小さくすることができる。
【０１００】
また、空気調和機１は、冷房運転時において、室内温度の設定温度を上昇させるとともに吹出し口から室内に送風される風量を上昇させることにより運転状態を変更可能である。また、暖房運転時において、室内温度の設定温度を低下させるとともに前記風量を低下させることにより運転状態を変更可能である。
【０１０１】
この空気調和機１では、冷房運転時においては、室内温度の設定温度を上昇させることで、消費電力を低下させることができるとともに、吹出し口から室内に送風される風量を上昇させることにより、設定温度の上昇によりユーザに与える不快感を減少させることができる。また、暖房運転時においては、室内温度の設定温度を低下させることで、消費電力を低下させることができるとともに、吹出し口から室内に送風される風量を低下させることにより、設定温度の低下によりユーザに与える不快感を減少させることができる。これにより、簡易な制御で、運転状態の変更時にユーザが感じる不快感をより小さくすることができる。特に、設定温度とともに風量を変更することにより、設定温度を変更しても、ＰＭＶ値を全く変動させないように制御することもできるため有効である。
【０１０２】
また、空気調和機１は、電気料金の積算値の目標値に対する割合が６０％に達した場合に、運転状態を変更する。これにより、実際に要した電気料金が目標値を大幅に上回るのを、簡易な制御で、確実に防止することができる。また、ユーザは、電気料金の積算値の目標値に対する割合が６０％に達するまでは、空気調和機の運転状態が自動的に変更されないようにすることができる。また、ユーザは、設定を変更することで、空気調和機の運転状態が変更されるタイミングを適宜変更することができる。
【０１０３】
また、空気調和機１は、電気料金の積算値の目標値に対する割合が６０％に達してから、１０％増加する度に、運転状態を変更する。これにより、実際に要した電気料金の積算値が目標値を大幅に上回るのを確実に防止することができる。また、ユーザは、設定を変更することで、空気調和機の運転状態が変更されるタイミングを適宜変更することができる。
【０１０４】
また、空気調和機１は、「本気節約モード」と「らくらく節約モード」とのいずれかのモードを設定可能であって、制御部３４は、モード毎に互いに異なる温度ずつ室内温度の設定温度を上昇または低下させる。これにより、「本気節約モード」と「らくらく節約モード」とのそれぞれにおいて互いに異なる温度ずつ設定温度を変更されるので、ユーザは、節約の度合に応じて「本気節約モード」と「らくらく節約モード」とのいずれかを選択することができる。
【０１０５】
また、空気調和機１では、所定期間内における電気料金の目標値を設定しておくと、その所定期間内における電気料金の消費割合に関する情報が自動的に報知される。そのため、ユーザは、リモコンのスイッチを押す等の操作を行うことなく、電気料金の消費割合を知ることができる。従って、ユーザは、現在までに消費した電気料金の変化を把握することで、電気料金が目標値を上回るのを抑制するために、空気調和機１の使用を調整することが可能になる。また、電気料金の消費割合に関する情報が自動的に報知されることにより省エネの意識が啓発されると共に、ユーザは電気料金を目標値以内におさめることで節約の達成感及び満足感を得ることができる。
【０１０６】
尚、上述の実施の形態では、電気料金の消費割合がユーザに知らされる場合には、室内機２の表示部３での表示、スピーカ４からの報知及びリモコン１０の表示部１１への表示の全てが行われるが、それらのいずれかだけが行われてもよい。
【０１０７】
また、上述の実施の形態では、電気料金の積算値が算出され、その積算値の電気料金の目標値に対する消費割合がユーザに知らされるが、消費電力量の積算値が算出され、その積算値の目標値に対する消費割合がユーザに知らされてもよい。
【０１０８】
また、上述の実施形態では、室内温度の設定温度を上昇または低下させるとともに、室内機２の吹出し口から室内に送風される風量を調整しているが、この場合に限定されない。例えば、風量の調整を行わずに、室内機２の吹出し口から送風される風向きを調整することにより運転状態を変更可能してもよい。具体的には、冷房運転時において、設定温度を上昇させたときに、吹出し口から送風される風が、室内のユーザに直接あたり易いように、より下方に送風されるように風向きを変更する構成であってもよい。また、暖房運転時において、設定温度を低下させたときに、吹出し口から送風される風が、室内のユーザに直接あたりにくいように、より上方に送風されるように風向きを変更する構成であってもよい。
また、風量調整と、風向きの調整とが同時に行われる構成であってもよい。
【０１０９】
また、空気調和機に、設定湿度に基づいて室内の湿度を調整する湿度調整手段を設け、室内温度の設定温度を上昇させるとともに設定湿度を低下させ、または、室内温度の設定温度を低下させるとともに設定湿度を上昇させることにより運転状態を変更するように構成してもよい。具体的には、室内の空気を吸込んで除湿可能な除湿ユニット、及び／又は、室内に加湿空気を送風可能な加湿ユニットを空気調和機に設けて湿度調整手段を構成することができる。
【０１１０】
この空気調和機では、冷房運転時においては、室内温度の設定温度を上昇させるとともに設定湿度を低下させた場合、室内温度の設定温度を上昇させることによる消費電力の低下量に比べ、設定湿度を低下させることによる消費電力の増加量が小さければ、全体として消費電力を低下できる。この場合、設定湿度を低下させているので、単に設定温度のみを上昇させた場合に比べて、快適性レベルが低下することを抑制できる。
【０１１１】
また、暖房運転時においては、室内温度の設定温度を低下させるとともに設定湿度を上昇させた場合、室内温度の設定温度を低下させることによる消費電力の低下量に比べ、設定湿度を上昇させることによる消費電力の増加量が小さければ、全体として消費電力を低下できる。この場合、設定湿度を上昇させているので、設定温度のみを低下させた場合に比べて、快適性レベルが低下することを抑制できる。
【０１１２】
また、上述の設定温度の変更に伴う湿度調整、風量調整、風向き調整を適宜組み合わせた構成としてもよい。
【０１１３】
また、ＰＭＶ値の変動が所定の範囲内になるように、設定温度のみの調整、設定湿度のみの調整、風量のみの調整、風向きのみの調整により、運転状態を変更してもよい。
【０１１４】
［第２実施形態］
次に、本発明の第２実施形態について、図面を参照しつつ説明する。図８は、本発明の第２実施形態の空気調和機の制御ユニットの構成を示すブロック図である。
【０１１５】
本実施の形態の空気調和機が第１実施形態の空気調和機１と主に異なる点は、第１実施形態では、電気料金の積算値が算出され、その積算値の電気料金の目標値に対する消費割合に基づいて運転状態が変更されるが、第２実施形態では、エネルギー消費量に基づいてＣＯ２排出量の積算値が導出され、そのＣＯ２排出量の積算値の目標値に対する消費割合に基づいて運転状態が変更される点である。本実施の形態の空気調和機の構成において、第１実施形態の空気調和機１と同様の構成については、同一の符号を付けて詳細な説明は省略する。
【０１１６】
制御ユニット１３０は、節約モード記憶部１３１と、目標値記憶部１３２と、ＣＯ２排出量算出部１３３と、制御部３４とを有している。また、制御ユニット１３０には、室内機２の表示部３及びスピーカ４と、リモコン１０の表示部１１及び操作部１２とがそれぞれ接続されている。尚、第１実施形態における電気料金表示部１１ｂの代わりにＣＯ２排出量の積算値を表示するＣＯ２排出量表示部１１１ｂを有する。
【０１１７】
節約モード記憶部１３１は、空気調和機における節約モードに関する種々の設定を記憶するものである。節約モード記憶部１３１に記憶される設定には、「本気節約モード」と、「らくらく節約モード」との２つのモードがあり、各節約モードにおける詳細な設定には、ＣＯ２排出量の目標値の期間の設定と、ＣＯ２排出量の消費割合のユーザへのお知らせが開始される割合（例えば５０％）の設定と、ユーザへのお知らせが開始された後において上記割合がどれくらい増加する度にお知らせを行うかを示す増加幅（例えば１０％）の設定と、上記割合に応じて空気調和機の運転状態を変更する場合の設定温度の温度幅の設定とが含まれる。
【０１１８】
目標値記憶部１３２は、ユーザによって設定された各期間ごとのＣＯ２排出量の目標値を記憶する。本実施の形態では、ユーザは、目標値記憶部１３２に対し、１年間、１ヶ月間、１週間、１日ごとの目標値を設定することができる。
【０１１９】
ＣＯ２排出量算出部１３３は、空気調和機での消費電力に基づいてＣＯ２排出量の積算値を算出する。ここで、ＣＯ２排出量算出部１３３では、次式に基づいて、ＣＯ２排出量の積算値が算出される。
ＣＯ２排出量＝消費電力量×ＣＯ２原単位
（但し、ＣＯ２原単位は、0.533 kg・CO2/kWh）
【０１２０】
本実施の形態では、ユーザに知らせるＣＯ２排出量の消費割合は、ＣＯ２排出量算出部１３３で算出されたＣＯ２排出量の積算値と、目標値記憶部１３２に記憶された各期間の目標値とに基づくものである。
【０１２１】
次に、本実施の形態の空気調和機の動作手順は、電気料金の目標値の代わりにＣＯ２排出量の目標値が設定されることと、電気料金の消費割合の代わりにＣＯ２排出量の消費割合が知らされること以外は、第１実施形態の空気調和機１の動作手順と同様である。
【０１２２】
以上説明したように、本実施の形態の空気調和機では、所定期間内におけるＣＯ２排出量の目標値を設定しておくと、その所定期間内におけるＣＯ２排出量の消費割合に基づいて運転状態が自動的に変更される。そのため、所定期間内におけるＣＯ２排出量の目標値を設定しておくだけで、ユーザが気付かないうちに、実際に要したＣＯ２排出量の積算値が目標値を大幅に上回るのを防止することができる。
更に、運転状態の変更は、人間の温熱感覚に基づく快適性レベルの変動が所定の範囲内となるように行われるので、運転状態が自動的に変更されたときに、ユーザの快適性が大幅に変動することを抑制できる。これにより、ユーザに大きな不快感を与えることを防ぎつつ、目標値を考慮した運転を行うことが可能になる。
【０１２３】
［第３実施形態］
次に、本発明の第３実施形態について、図面を参照しつつ説明する。図９は、本発明の第３実施形態の空気調和機の制御ユニットの構成を示すブロック図である。
【０１２４】
本実施の形態の空気調和機が第１実施形態の空気調和機１と主に異なる点は、第１実施形態では、電気料金の積算値が算出され、その積算値の電気料金の目標値に対する消費割合に基づいて運転状態が変更されるが、本実施の形態では、空気調和機において低効率運転が行われる運転時間が計測され、その低効率運転時間の積算値の目標値に対する消費割合に基づいて運転状態が変更される点である。本実施の形態の空気調和機の構成において、第１実施形態の空気調和機１と同様の構成については、同一の符号を付けて詳細な説明は省略する。
【０１２５】
制御ユニット２３０は、節約モード記憶部２３１と、目標値記憶部２３２と、低効率運転時間算出部２３３と、制御部３４とを有している。また、制御ユニット２３０には、室内機２の表示部３及びスピーカ４と、リモコン１０の表示部１１及び操作部１２とがそれぞれ接続されている。尚、第１実施形態における電気料金表示部１１ｂの代わりに低効率運転時間の積算値を表示する低効率運転時間表示部２１１ｂを有する。
【０１２６】
節約モード記憶部２３１は、空気調和機における節約モードに関する種々の設定を記憶するものである。節約モード記憶部２３１に記憶される設定には、「本気節約モード」と、「らくらく節約モード」との２つのモードがあり、各節約モードにおける詳細な設定には、低効率運転時間の目標値の期間の設定と、低効率運転時間の消費割合のユーザへのお知らせが開始される割合（例えば５０％）の設定と、ユーザへのお知らせが開始された後において上記割合がどれくらい増加する度にお知らせを行うかを示す増加幅（例えば１０％）の設定と、上記割合に応じて空気調和機の運転状態を変更する場合の設定温度の温度幅の設定とが含まれる。
【０１２７】
目標値記憶部２３２は、ユーザによって設定された各期間ごとの低効率運転時間の目標値を記憶する。本実施の形態では、ユーザは、目標値記憶部２３２に対し、１年間、１ヶ月間、１週間、１日ごとの目標値を設定することができる。
【０１２８】
低効率運転時間算出部２３３は、空気調和機において低効率運転が行われる時間を計測（算出）する。そして、ユーザに知らせる低効率運転時間の消費割合は、低効率運転時間算出部２３３で算出された低効率運転時間の積算値と、目標値記憶部２３２に記憶された各期間の目標値とに基づくものである。ここで、低効率運転とは、外気温度などに応じた最も効率のよい運転（省エネ運転）より効率が低い状態での運転であって、例えば運転周波数が高い、風量設定が低い状態等での運転などが設定される。
【０１２９】
ここで、本実施の形態において、低効率運転時間算出部２３３において計測が行われる手順について、図１０を参照して説明する。図１０は、低効率運転時間算出部において計測が行われる手順を示すフローチャートを示す図である。
【０１３０】
まず、空気調和機の圧縮機の運転周波数が所定の運転周波数以上（例えば６０Ｈｚ以上）か否かが判断される（ステップＳ３１）。ここで、圧縮機の運転周波数が所定の運転周波数以上である場合（Ｓ３１：ＹＥＳ）には、冷房運転が行われているか否かが判断される（ステップＳ３２）。ここで、冷房運転が行われている場合（Ｓ３２：ＹＥＳ）には、外気温度が第１の所定温度以上（例えば３５℃以上）であり且つ室内温度が第２の所定温度以下（例えば２７℃以下）であるか否かが判断される（ステップＳ３３）。ここで、外気温度が第１の所定温度以上であり且つ室内温度が第２の所定温度以下である場合（Ｓ３３：ＹＥＳ）には、室内機の風量が所定量以下（例えばＬタップ以下）か否かが判断される（ステップＳ３４）。ここで、室内機の風量が所定量以下である場合（Ｓ３４：ＹＥＳ）には、空気調和機の運転状態が低効率運転であると判断され、低効率運転時間の計測が行われる（ステップＳ３５）。
【０１３１】
また、ステップＳ３４において、冷房運転時の室内機の風量が所定量以下でない場合（Ｓ３４：ＮＯ）には、室内機のフラップのスイング動作が行われていないか否かが判断される（ステップＳ３７）。ここで、室内機のフラップのスイング動作が行われていない場合（Ｓ３７：ＹＥＳ）には、空気調和機の運転状態が低効率運転であると判断され、低効率運転時間の計測が行われる（ステップＳ３５）。
【０１３２】
一方、ステップＳ３２において、冷房運転が行われていない場合つまり暖房運転が行われている場合（Ｓ３２：ＮＯ）には、外気温度が第３の所定温度以下（例えば７℃以下）であり且つ室内温度が第４の所定温度以上（例えば２５℃以上）であるか否かが判断される（ステップＳ３６）。ここで、外気温度が第３の所定温度以下であり且つ室内温度が第４の所定温度以上である場合（Ｓ３６：ＹＥＳ）には、室内機の風量が所定量以下（例えばＬタップ以下）か否かが判断される（ステップＳ３４）。ここで、室内機の風量が所定量以下である場合（Ｓ３４：ＹＥＳ）には、空気調和機の運転状態が低効率運転であると判断され、低効率運転時間の計測が行われる（ステップＳ３５）。
【０１３３】
また、ステップＳ３４において、暖房運転時の室内機の風量が所定量以下でない場合（Ｓ３４：ＮＯ）には、室内機のフラップのスイング動作が行われていないか否かが判断される（ステップＳ３７）。ここで、室内機のフラップのスイング動作が行われていない場合（Ｓ３７：ＹＥＳ）には、空気調和機の運転状態が低効率運転であると判断され、低効率運転時間の計測が行われる（ステップＳ３５）。
【０１３４】
ところで、ステップＳ３３において、外気温度が第１の所定温度以上であり且つ室内温度が第２の所定温度以下でない場合（Ｓ３３：ＮＯ）や、ステップＳ３６において、外気温度が第３の所定温度以下であり且つ室内温度が第４の所定温度以上でない場合（Ｓ３６：ＮＯ）や、ステップＳ３７において、室内機のフラップのスイング動作が行われている場合（Ｓ３７：ＮＯ）には、空気調和機の運転状態が低効率運転でないと判断され、低効率運転時間の計測が終了する（ステップＳ３８）。
【０１３５】
上記のステップＳ３５及びステップＳ３８の後は、ステップＳ３１に戻って、上記と同様の手順が繰り返される。
【０１３６】
次に、本実施の形態の空気調和機の動作手順は、電気料金の目標値の代わりに低効率運転時間の目標値が設定されることと、電気料金の消費割合の代わりに低効率運転時間の消費割合に基づいて運転状態が変更されること以外は、第１の実施の形態の空気調和機１の動作手順と同様である。
【０１３７】
以上説明したように、本実施の形態の空気調和機では、所定期間内における低効率運転時間の目標値を設定しておくと、その所定期間内における低効率運転時間の消費割合に基づいて運転状態が自動的に変更される。そのため、所定期間内における低効率運転時間の目標値を設定しておくだけで、ユーザが気付かないうちに、実際に要した低効率運転時間の積算値が目標値を大幅に上回るのを防止することができる。
更に、運転状態の変更は、人間の温熱感覚に基づく快適性レベルの変動が所定の範囲内となるように行われるので、運転状態が自動的に変更されたときに、ユーザの快適性が大幅に変動することを抑制できる。これにより、ユーザに大きな不快感を与えることを防ぎつつ、目標値を考慮した運転を行うことが可能になる変更される。
【０１３８】
［第４実施形態］
次に、本発明の第４実施形態について、図面を参照しつつ説明する。図１１は、本発明の第４実施形態の空気調和機の制御ユニットの構成を示すブロック図である。図１２は、第４実施形態の空気調和機の動作手順を示すフローチャートを示す図である。
【０１３９】
第４実施形態においては、第１実施形態における電気料金算出部３３の代わりに、所定期間の開始時から実際に要した消費電力量の積算値（消費電力量Ｗ）を算出する算出手段として消費電力量算出部３３３を備え、電気料金表示部１１ｂの代わりに消費電力量の積算値を表示する消費電力量表示部３１１ｂを備えている。その他、動作手順以外の構成は、第１実施形態と同様であるため、同一部分には同一符号を付し、説明を省略する。
【０１４０】
制御ユニット３３０は、節約モード記憶部３３１と、目標値記憶部３３２と、消費電力量算出部３３３と、制御部３４とを有している。また、制御ユニット３３０には、室内機２の表示部３及びスピーカ４と、リモコン１０の表示部１１及び操作部１２とがそれぞれ接続されている。
【０１４１】
節約モード記憶部３３１は、空気調和機における節約モードに関する種々の設定を記憶するものである。節約モード記憶部３３１に記憶される設定には、「本気節約モード」と、「らくらく節約モード」との２つのモードがあり、各節約モードにおける詳細な設定には、消費電力量の目標値の期間の設定と、消費電力量の消費割合に応じて空気調和機の運転状態を変更する場合の設定温度の温度幅の設定とが含まれる。
【０１４２】
目標値記憶部３３２は、ユーザによって設定された各期間ごとの消費電力量の目標値を記憶する。本実施の形態では、ユーザは、目標値記憶部３３２に対し、１年間、１ヶ月間、１週間、１日ごとの目標値を設定することができる。
【０１４３】
消費電力量算出部３３３は、空気調和機の消費電力及び運転時間に基づいて消費電力量の積算値を算出する。
【０１４４】
第４実施形態においては、ユーザが１日の消費電力量の目標値Ｗｄを設定して空気調和機を運転する場合について説明する。また、ユーザにより「本気節約モード」が選択されている場合について説明する。
【０１４５】
まず、ユーザによって消費電力量の目標値Ｗｄが設定される（ステップＳ１０１）。ユーザが設定した１日の目標値Ｗｄは、目標値記憶部３３２に記憶される。
【０１４６】
そして、定数Ｎが１に設定されるとともに、経過時間ｔの計測、及び、消費電力量Ｗの積算が開始される（ステップＳ１０２）。即ち、当該ステップＳ１０２においてｔが０に設定されるとともに、当該ステップＳ１０２以降、ｔの値は当該ステップＳ１０２から時間が経過するにつれて増加していく。尚、本実施形態では、ｔの値の単位は「時間（hour）」である。また、当該ステップＳ１０２において消費電力量Ｗが０に設定されるとともに、当該ステップＳ１０２以降、空気調和機が運転されることにより、当該空気調和機の消費電力及び運転時間に基づいて、消費電力量Ｗの値が増加していく。
【０１４７】
次に、ステップＳ１０２にて経過時間の測定を開始した時刻（以下、測定開始時刻と称する）から、２×Ｎ時間経過したかが判断される（Ｓ１０３）。即ち、Ｎ＝１であるので、測定開始時刻から、２時間経過したかが判断される。
【０１４８】
測定開始時刻から２×Ｎ時間が経過していない場合（Ｓ１０３：ＮＯ）は、２×Ｎ時間が経過するまで次のステップには進まない。
測定開始時刻から２×Ｎ時間が経過した場合（Ｓ１０３：ＹＥＳ）は、測定開始時刻から現在までに消費した電力量（消費電力量Ｗ）が、１日の目標値Ｗｄと測定開始時刻から経過した時間ｔとに基づいて算出される変動目標値Ｗｄｔよりも大きいか否かを判断される（Ｓ１０４）。変動目標値Ｗｄｔは、１日の目標値をＷｄ、測定開始時刻から経過した時間をｔ時間として、以下の式で表される。
Ｗｄｔ＝（Ｗｄ／２４）×ｔ
【０１４９】
そして、消費電力量Ｗが変動目標値Ｗｄｔよりも大きい場合（Ｓ１０４：ＹＥＳ）には、空気調和機における室内温度の設定温度が第１温度幅（１℃）だけ変更されるとともに吹出し風量が変更される（ステップＳ１０６）。尚、ステップＳ１０６における運転状態の変更方法は、第１実施形態におけるステップＳ１１と同様であるため説明は省略する。
【０１５０】
一方、消費電力量Ｗが、変動目標値Ｗｄｔ以下である場合（Ｓ１０４：ＮＯ）は、定数ＮがＮ＋１に変更される（ステップＳ１０５）。そして、ステップＳ１０３に戻って同様の処理が繰り返される。
【０１５１】
ステップ１０６にて、運転状態が変更された場合は、その後、消費電力量Ｗが１日の目標値Ｗｄに到達したか否かが判断される（ステップＳ１０７）。
消費電力量Ｗが１日の目標値Ｗｄに到達した場合（Ｓ１０７：ＹＥＳ）には、空気調和機１の運転が停止される（ステップＳ１０８）。
一方、消費電力量Ｗが１日の目標値Ｗｄに到達していない場合（Ｓ１０７：ＮＯ）には、測定開始時刻から２４時間（１日）が経過したか否かが判断される（Ｓ１０９）。
【０１５２】
測定開始時刻から２４時間が経過している場合（Ｓ１０９：ＹＥＳ）は、図１２のフローチャートに基づく動作は終了する。
一方、測定開始時刻から２４時間が経過していない場合（Ｓ１０９：ＮＯ）は、定数ＮがＮ＋１に変更される（ステップＳ１０５）。そして、ステップＳ１０３に戻って同様の処理が繰り返される。
【０１５３】
以上説明したように、第４実施形態に係る空気調和機は、所定期間（１日）の消費電力量の目標値Ｗｄ及び変動目標値Ｗｄｔを記憶する目標値記憶部３３２と、前記所定期間の開始時（本実施形態においては、ステップＳ１０２におけるＷ＝０の設定時）から実際に要した消費電力量の積算値である消費電力量Ｗ（エネルギー消費に関する項目についての積算値）を算出する消費電力量算出部３３３と、消費電力量Ｗの変動目標値Ｗｄｔに対する割合に基づいて運転状態を変更する制御部３４とを備えている。そして、制御部３４は、ＰＭＶ値の変動が０．２５以内となるように運転状態を変更する。
【０１５４】
この空気調和機では、１日の消費電力量の目標値Ｗｄを設定しておくと、自動的に、経過時間により変動する目標値である変動目標値Ｗｄｔが算出される。そして、消費電力量Ｗの変動目標値Ｗｄｔに対する割合に基づいて、空気調和機の運転状態が自動的に変更される。従って、１日の消費電力量の目標値Ｗｄを設定しておくだけで、ユーザが気付かないうちに、実際に要した消費電力量Ｗが目標値Ｗｄを大幅に上回るのを防止することができる。
【０１５５】
尚、第４実施形態においては、変動目標値Ｗｄｔは、１日の目標値をＷｄ、測定開始時刻から経過した時間をｔ時間として、以下の式で表されるがこの場合に限らない。
Ｗｄｔ＝（Ｗｄ／２４）×ｔ
【０１５６】
例えば、変動目標値Ｗｄｔを、時間の増加に対して対数関数的に増加するように、以下の式により算出される値とすることもできる。
Ｗｄｔ＝Ｗｄ×Ｌｏｇ２５（ｔ＋１）
この場合、１日における早い時間帯にユーザの設定した運転状態が変更されることを少なくすることができる。
【０１５７】
また、変動目標値Ｗｄｔを、時間の増加に対して指数関数的に増加するように、以下の式により算出される値とすることもできる。尚、以下の式における定数Ｗ０は、測定開始時刻において少なくとも許容される消費電力量に相当する定数であり、Ｗ０＜Ｗｄとなる定数である。
Ｗｄｔ＝Ｗ０＋（Ｗｄ−Ｗ０）（ｔ+１）／２５
この場合、１日における遅い時間帯にユーザの設定した運転状態が変更されることを少なくすることができる。
【０１５８】
また、第４実施形態においては、２時間毎に、消費電力量Ｗが変動目標値Ｗｄｔよりも大きいか否かが判断されるが、この場合に限らず、１時間毎、３時間毎、４時間毎等、適宜変更して実施することができる。尚、このように、所定の時間毎に、運転状態を変更するか否かを判断する構成とすることで、運転状態が変更される時間間隔が過度に短くなることを抑制することができる。これにより、ユーザが感じる不快感をより抑制することができる。
【０１５９】
また、第４実施形態は、１日の目標値Ｗｄをユーザが設定して、２時間毎に、消費電力量Ｗが変動目標値Ｗｄｔよりも大きいか否かが判断される構成であるが、この場合に限らない。
例えば、１週間の目標値Ｗｗをユーザが設定して、当該設定された目標値Ｗｗに基づいて、１日の目標値Ｗｄを自動的に算出し、１日毎に、消費電力量Ｗが目標値Ｗｄよりも大きいか否かを判断する構成であってもよい。そして、１日が終了した時に、その日の目標値Ｗｄと実際に要したその日の消費電力量Ｗとの差に基づいて、その後の日々の目標値を算出しなおすことができる。尚、この場合においても、２時間毎に、消費電力量Ｗが、１日の目標値Ｗｄに基づいて算出される所定の変動目標値Ｗｄｔよりも大きいか否かが判断され、運転状態が適宜変更される。
【０１６０】
また、例えば、１ヶ月の目標値Ｗｍをユーザが設定して、当該設定された目標値Ｗｍに基づいて、１週間毎の目標値Ｗｗ、及び、１日の目標値Ｗｄを自動的に算出する構成であってもよい。そして、１週間が終了した時に、その週の目標値Ｗｗと実際に要したその週の消費電力量との差に基づいて、その後の各週の目標値及び日々の目標値を算出しなおすことができる。
【０１６１】
また、例えば、冷房シーズン（例えば、５〜１０月の６ヶ月など）、又は、暖房シーズン（例えば、１１月〜４月の６ヶ月など）の目標値をユーザが設定して、当該設定された目標値に基づいて、１ヶ月毎の目標値Ｗｍ、１週間毎の目標値Ｗｗ、及び、１日の目標値Ｗｄを自動的に算出する構成であってもよい。そして、１ヶ月が終了した時に、その月の目標値Ｗｍと、実際に要したその月の消費電力量との差に基づいて、その後の各月、各週、日々の目標値を算出しなおすことができる。
【０１６２】
また、例えば、一年の目標値をユーザが設定して、当該設定された目標値に基づいて、１ヶ月毎の目標値Ｗｍ、１週間毎の目標値Ｗｗ、及び、１日の目標値Ｗｄを自動的に算出する構成であってもよい。この場合、過去の年間運転実績や、気象データ等を考慮して、各シーズン（例えば、５〜１０月の冷房シーズン、１１月〜４月の暖房シーズン）の目標値を算出し、当該各シーズンの目標値に基づいて、１ヶ月毎の目標値Ｗｍ、１週間毎の目標値Ｗｗ、及び、１日の目標値Ｗｄを自動的に算出する構成であってもよい。
【０１６３】
尚、上記第４実施形態は節約モードおける一のモード（「本気節約モード」）のみを説明したが、第１実施形態と同じように、ユーザが他のモード（「らくらく節約モード」）を選択した場合には、運転状態を変更するときの温度幅が小さくなるように制御される。
【０１６４】
［第５実施形態］
次に、第５実施形態に係る空気調和機の動作手順について、図１３を参照して説明する。図１３は、第５実施形態の空気調和機の動作手順を示すフローチャートを示す図である。尚、動作手順以外の構成は、第４実施形態と同様であるため説明を省略する。
【０１６５】
第５実施形態においては、第４実施形態と同様に、ユーザが１日の消費電力量の目標値Ｗｄを設定して空気調和機を運転する場合について説明する。尚、第５実施形態は、ステップＳ２０４において、第４実施形態と異なっている。その他のステップＳ２０１〜Ｓ２０３、Ｓ２０５〜Ｓ２０９については、第４実施形態のステップＳ１０１〜Ｓ１０３、Ｓ１０５〜Ｓ１０９とそれぞれ同様であるため適宜説明を省略する。
【０１６６】
まず、第４実施形態と同様に、ユーザによる消費電力量の目標値Ｗｄの設定（Ｓ２０１）、定数Ｎの設定、経過時間ｔ及び消費電力量Ｗの計測が開始され（Ｓ２０２）、その後、経過時間ｔの判断（Ｓ２０３）が行われ、測定開始時刻から２×Ｎ時間が経過した場合（Ｓ２０３：ＹＥＳ）は、ステップＳ２０４に進む。
【０１６７】
ステップＳ２０４においては、測定開始時刻から現在までに消費した電力量（消費電力量Ｗ）と、現時点の空気調和機の運転状態における消費電力Ｐと、測定開始時刻から２４時間経過するまでの時間（残り時間Ｔｒ）と、に基づいて算出される推定値Ｅｒと、前記目標値Ｗｄとを比較して運転状態を変更するか否かが判断される。具体的には、以下の式により、測定開始時刻から２４時間経過した時点で消費すると推定される推定値Ｅｒを算出し、当該推定値Ｅｒの、１日の目標値Ｗｄに対する割合に基づいて運転状態を変更する。
【０１６８】
Ｅｒ＝（Ｐ×Ｔｒ）＋Ｗ
Ｔｒ＝２４−ｔ
【０１６９】
更に具体的には、算出された推定値Ｅｒが、目標値Ｗｄよりも大きいか否かが判断される（Ｓ２０４）。
そして、推定値Ｅｒが目標値Ｗｄよりも大きい場合（Ｓ２０４：ＹＥＳ）には、空気調和機における室内温度の設定温度が第１温度幅（１℃）だけ変更されるとともに吹出し風量が変更される（ステップＳ２０６）。尚、ステップＳ２０６における運転状態の変更方法は、第１実施形態におけるステップＳ１１と同様であるため説明は省略する。
【０１７０】
一方、推定値Ｅｒが目標値Ｗｄ以下である場合（Ｓ２０４：ＮＯ）は、定数ＮがＮ＋１に変更される（ステップＳ２０５）。そして、ステップＳ２０３に戻って同様の処理が繰り返される。
【０１７１】
ステップ２０６にて運転状態が変更された後、消費電力量Ｗが１日の目標値Ｗｄに到達していれば（Ｓ２０７：ＹＥＳ）、空気調和機１の運転が停止される（ステップＳ２０８）。一方、消費電力量Ｗが１日の目標値Ｗｄに到達していなければ（Ｓ２０７：ＮＯ）、測定開始時刻から２４時間（１日）が経過したか否かが判断され（Ｓ２０９）、測定開始時刻から２４時間が経過していれば（Ｓ２０９：ＹＥＳ）、図１３のフローチャートに基づく動作は終了する。一方、測定開始時刻から２４時間が経過していなければ（Ｓ２０９：ＮＯ）、定数ＮがＮ＋１に変更され（Ｓ２０５）、ステップＳ２０３に戻って同様の処理が繰り返される。
【０１７２】
以上説明したように、第５実施形態に係る空気調和機は、所定期間（１日）の消費電力量の目標値Ｗｄを記憶する目標値記憶部３３２と、前記所定期間の開始時（本実施形態においては、ステップＳ２０２におけるＷ＝０の設定時）から実際に要した消費電力量の積算値である消費電力量Ｗを算出する消費電力量算出部３３３と、消費電力Ｐに前記所定期間の終了時までの残り時間Ｔｒを乗算して得られる値と、消費電力量Ｗと、の和である推定値Ｅｒの、目標値Ｗｄに対する割合に基づいて運転状態を変更する制御部３４とを備える。そして、制御部３４は、ＰＭＶ値の変動が０．２５以内となるように運転状態を変更する。
【０１７３】
この空気調和機では、１日の消費電力量の目標値Ｗｄを設定しておくと、推定値Ｅｒの目標値Ｗｄに対する割合に基づいて、空気調和機の運転状態が自動的に変更される。即ち、１日に消費されると推定される消費電力量の目標値Ｗｄに対する割合に基づいて、空気調和機の運転状態が変更される。従って、１日の消費電力量の目標値Ｗｄを設定しておくだけで、ユーザが気付かないうちに、実際に要した消費電力量Ｗが目標値Ｗｄを大幅に上回るのを防止することができる。
更に、運転状態の変更は、人間の温熱感覚に基づく快適性レベルの変動が０．２５以内となるように行われるので、運転状態が自動的に変更されたときに、ユーザの快適性が大幅に変動することを抑制できる。これにより、ユーザに大きな不快感を与えることを防ぎつつ、目標値を考慮した運転を行うことが可能になる。
【０１７４】
尚、第５実施形態においては、消費電力量に基づいて運転状態を変更しているが、この場合に限らない。例えば、第１〜３実施形態と同様に、所定期間内における電気料金、ＣＯ２排出量、低効率運転が行われる運転時間等の目標値を記憶する記憶手段と、前記所定期間の開始時から実際に要した電気料金等の積算値を算出する算出手段と、単位時間あたりの電気料金等の増加量に前記所定期間の終了時までの残り時間を乗算して得られる値と、前記積算値と、の和である推定値の、前記目標値に対する割合に基づいて運転状態を変更するように構成してもよい。
【０１７５】
また、第５実施形態に係る空気調和機は、推定値Ｅｒが、目標値Ｗｄよりも大きい場合は、消費電力を減少させるように運転状態を変更する。これにより、簡易な構成で、実際に要した消費電力量Ｗが目標値Ｗｄを大幅に上回るのを防止することができる。
【０１７６】
尚、一旦消費電力を減少させるように運転状態を変更させた後、推定値Ｅｒが、目標値Ｗｄよりも小さくなった場合は、消費電力を増加させて、ユーザの快適性が向上するように運転状態を変更させることもできる。この場合、実際に要した消費電力量Ｗが目標値Ｗｄを大幅に下回るように空気調和機が制御されてユーザの要求する快適性が損なわれることを簡易な構成で防止することができる。
【０１７７】
［第６実施形態］
次に、第６実施形態に係る空気調和機の動作手順について、図１４を参照して説明する。図１４は、第６実施形態の空気調和機の動作手順を示すフローチャートを示す図である。尚、動作手順以外の構成は、第５実施形態と同様であるため説明を省略する。
【０１７８】
第６実施形態においては、ユーザが１年の消費電力量の目標値Ｗｙを設定して空気調和機を運転する場合について説明する。尚、第６実施形態は、ステップＳ３０１、Ｓ３０８〜Ｓ３１３において、第５実施形態と異なっている。その他のステップＳ３０２〜Ｓ３０７については、第５実施形態のステップＳ２０２〜Ｓ２０７とそれぞれ同様であるため適宜説明を省略する。
【０１７９】
まず、ユーザによる一年間の消費電力量の目標値Ｗｙの設定が行われる（Ｓ３０１）。このとき、制御部３４により、自動的に、１日の目標値Ｗｄ、１週間の目標値Ｗｗ、１ヶ月の目標値Ｗｍがそれぞれ算出される。尚、当該目標値の算出方法は、第１実施形態で説明した単純分割方法又はトレンド推測方法等が用いられる。
また、当該ステップＳ３０１にて目標値が設定された時刻（目標設定時刻）が制御ユニット３０の記憶部に記憶される。例えば、空気調和機が、リモコン等の表示部に現在の時刻表示を行うために備えるタイマー機能を用いて、目標値が設定されたときの時刻を判断することができる。また、空気調和機に電波時計の機能が設けられている場合は、当該電波時計の機能を用いて目標値が設定されたときの時刻を判断することができる。
【０１８０】
その後、第５実施形態におけるステップＳ２０２〜Ｓ２０７とそれぞれ同様に、ステップＳ３０２〜Ｓ３０７が行われる。
【０１８１】
ステップＳ３０７において、消費電力量Ｗが１日の目標値Ｗｄを超えていれば（Ｓ３０７：ＹＥＳ）、空気調和機１の運転が停止され（ステップＳ３０８）、その後、ステップＳ３０９に進む。一方、消費電力量Ｗが１日の目標値Ｗｄを超えていなければ（Ｓ３０７：ＮＯ）、運転を停止することなく、ステップＳ３０９に進む。
【０１８２】
ステップＳ３０９においては、測定開始時刻から２４時間（１日）が経過したか否かが判断され、測定開始時刻から２４時間が経過していれば（Ｓ３０９：ＹＥＳ）、ステップＳ３１０に進む。一方、測定開始時刻から２４時間が経過していなければ（Ｓ３０９：ＮＯ）、定数ＮがＮ＋１に変更され（Ｓ３０５）、ステップＳ３０３に戻って同様の処理が繰り返される。
【０１８３】
ステップ３１０においては、目標設定時刻から１週間経過したか否かが判断される。即ち、ステップＳ３０１で記憶された目標設定時刻のデータ、及び、空気調和機が備えるタイマー機能等から判断される現時点の時刻に基づいて、目標設定時刻から１週間経過したか否かが判断される。
【０１８４】
目標設定時刻から１週間経過していない場合は（Ｓ３１０：ＮＯ）、１日の目標値Ｗｄが、新たな目標値に再設定される（Ｓ３１１）。
【０１８５】
再設定される新たな１日の目標値Ｗｄは、ステップＳ３０１で予め算出されて、記憶部に記憶されているものを用いることができる。また、例えば過去１日の消費電力量がその日の目標値よりも小さいときには、当該消費電力量と当該目標値との差を次の日の目標値に繰り越すことができる。つまり、この場合には、当該差をステップＳ３０１で算出された目標値に加算した値が、再設定される新たな目標値となる。
【０１８６】
また、制御ユニット３０の記憶部には、初期値０として総消費電力量Ｗ’が予め記憶されており、現時点までに積算された消費電力量Ｗが、当該総消費電力量Ｗ’に加算されて記憶される（Ｓ３１１）。
【０１８７】
その後、ステップＳ３０２に戻って同様の処理が繰り返される。
尚、ステップＳ３０２にて、定数Ｎが１に設定されるとともに、経過時間ｔが０に戻され、その後、時間の経過に伴って、ｔが０から増加していくことになる。また、積算された消費電力量Ｗは０に戻され、再度０から積算される。
【０１８８】
目標設定時刻から１週間経過している場合は（Ｓ３１０：ＹＥＳ）、目標設定時刻から１ヶ月経過したか否かが判断される（Ｓ３１２）。即ち、ステップＳ３０１で記憶した目標設定時刻のデータ、及び、空気調和機が備えるタイマー機能等から判断される現時点の時刻に基づいて、目標設定時刻から１ヶ月経過したか否かが判断される。
【０１８９】
目標設定時刻から１ヶ月経過していない場合は（Ｓ３１２：ＮＯ）、今後１週間の目標値Ｗｗ、及び、１日の目標値Ｗｄが、新たな目標値に再設定され（Ｓ３１１）、その後、ステップＳ３０２に戻って同様の処理が繰り返される。
再設定される新たな１週間の目標値Ｗｗは、ステップＳ３０１で予め算出されて、記憶部に記憶されているものを用いることができる。また、例えば過去１週間の消費電力量がその週の目標値よりも小さいときには、当該消費電力量と当該目標値との差を次の週の目標値に繰り越すことができる。つまり、この場合には、当該差をステップＳ３０１で算出された目標値に加算した値が、再設定される新たな目標値となる。
また、各日の目標値Ｗｄについては、ステップ３１１にて、上述の再設定された１週間の目標値Ｗｗに基づいて、算出することができる。また、直前１週間の消費電力量データに基づいて、今後１週間における各日の目標値Ｗｄを決定してもよい。
【０１９０】
目標設定時刻から１ヶ月経過している場合は（Ｓ３１２：ＹＥＳ）、目標設定時刻から１年経過したか否かが判断される（Ｓ３１３）。即ち、ステップＳ３０１で記憶した目標設定時刻のデータ、及び、空気調和機が備えるタイマー機能等から判断される現時点の時刻に基づいて、目標設定時刻から１年経過したか否かが判断される。
【０１９１】
目標設定時刻から１年経過していない場合は（Ｓ３１３：ＮＯ）、１ヶ月の目標値Ｗｍ、１週間の目標値Ｗｗ、及び、１日の目標値Ｗｄが、新たな目標値に再設定され（Ｓ３１１）、その後、ステップＳ３０２に戻って同様の処理が繰り返される。
再設定される新たな１ヶ月の目標値Ｗｍは、ステップＳ３０１で予め算出されて、記憶部に記憶されているものを用いることができる。また、例えば過去１ヶ月の消費電力量がその月の目標値よりも小さいときには、当該消費電力量と当該目標値との差を次の月の目標値に繰り越すことができる。つまり、この場合には、当該差をステップＳ３０１で算出された目標値に加算した値が、再設定される新たな目標値となる。
また、今後の各週の目標値Ｗｗについては、ステップ３１１にて、上述の再設定された１ヶ月の目標値Ｗｍに基づいて、算出することができる。
また、今後の各日の目標値Ｗｄについては、ステップ３１１にて、上述の再設定された１週間の目標値Ｗｗに基づいて、算出することができる。
また、これらの目標値Ｗｗ及び目標値Ｗｄは、直前１ヶ月或いは１週間の消費電力量データに基づいて決定してもよい。
【０１９２】
目標設定時刻から１年経過している場合は（Ｓ３１３：ＹＥＳ）、図１４のフローチャートに基づく動作は終了する。
【０１９３】
以上説明したように、第６実施形態に係る空気調和機は、所定期間（１年、１ヶ月、１週間、１日）の消費電力量の目標値（目標値Ｗｙ、目標値Ｗｍ、目標値Ｗｗ、目標値Ｗｄ）を記憶する目標値記憶部３３２と、前記所定期間の開始時（本実施形態においては、ステップＳ３０２におけるＷ＝０の設定時）から実際に要した消費電力量の積算値である消費電力量Ｗを算出する消費電力量算出部３３３と、消費電力Ｐに前記所定期間の終了時までの残り時間Ｔｒを乗算して得られる値と、消費電力量Ｗと、の和である推定値Ｅｒの、目標値Ｗｄに対する割合に基づいて運転状態を変更する制御部３４とを備える。そして、制御部３４は、ＰＭＶ値の変動が０．２５以内となるように運転状態を変更する。
【０１９４】
この空気調和機では、１年の消費電力量の目標値Ｗｙを設定すると、自動的に１日の消費電力量の目標値Ｗｄが算出されて設定される。そして、推定値Ｅｒの目標値Ｗｄに対する割合に基づいて、空気調和機の運転状態が自動的に変更される。即ち、１日に消費されると推定される消費電力量の目標値Ｗｄに対する割合に基づいて、空気調和機の運転状態が変更される。従って、ユーザが気付かないうちに、実際に要した１日の消費電力量が１日の目標値Ｗｄを大幅に上回るのを防止することができる。結果として、実際に要した１年の消費電力量Ｗ’が１年の目標値Ｗｙを大幅に上回るのを防止することができる。
更に、運転状態の変更は、人間の温熱感覚に基づく快適性レベルの変動が０．２５以内となるように行われるので、運転状態が自動的に変更されたときに、ユーザの快適性が大幅に変動することを抑制できる。これにより、ユーザに大きな不快感を与えることを防ぎつつ、目標値を考慮した運転を行うことが可能になる。
【０１９５】
以上、本発明の実施形態について図面に基づいて説明したが、具体的な構成は、これらの実施形態に限定されるものでないと考えられるべきである。本発明の範囲は、上記した実施形態の説明ではなく特許請求の範囲によって示され、さらに特許請求の範囲と均等の意味および範囲内でのすべての変更が含まれる。
【０１９６】
上記実施形態においては、  人間の温熱感覚に基づく快適性レベルとしてＰＭＶ値を用いているがこの場合に限らない。ＰＭＶ値以外の人間の温熱感覚に基づく快適性レベルの指標を用いることも可能である。
【産業上の利用可能性】
【０１９７】
本発明を利用すれば、所定期間内におけるエネルギー消費に関する項目についての積算値の目標値を設定しておくだけで、ユーザが気付かないうちに、実際に要した前記項目についての積算値が目標値を大幅に上回るのを防止することができる。
【図面の簡単な説明】
【０１９８】
【図１】本発明の第１実施形態に係る空気調和機の斜視図である。
【図２】図１の室内機の部分拡大図である。
【図３】図１のリモコンを示す図である。
【図４】図１の空気調和機の制御ユニットの構成を示すブロック図である。
【図５】図１の空気調和機における動作手順を示すフローチャートを示す図である。
【図６】夏場における室温と風量とＰＭＶ値との関係表を示す図である。
【図７】冬場における室温と風量とＰＭＶ値との関係表を示す図である。
【図８】第２実施形態の空気調和機の制御ユニットの構成を示すブロック図である。
【図９】第３実施形態の空気調和機の制御ユニットの構成を示すブロック図である。
【図１０】図９の空気調和機の低効率運転時間算出部において計測が行われる手順を示すフローチャートである。
【図１１】第４実施形態の空気調和機の制御ユニットの構成を示すブロック図である。
【図１２】図１１の空気調和機の動作手順を示すフローチャートを示す図である。
【図１３】第５実施形態の空気調和機の動作手順を示すフローチャートを示す図である。
【図１４】第６実施形態の空気調和機の動作手順を示すフローチャートを示す図である。
【符号の説明】
【０１９９】
１  空気調和機
２  室内機
３  表示部
４  スピーカ
１０  リモコン
３０  制御ユニット
３１  節約モード記憶部
３２  目標値記憶部（記憶手段）
３３  電気料金算出部（算出手段）
３４  制御部（制御手段）
【図１】
2009270764.tif 000003
【図２】
2009270764.tif 000004
【図３】
2009270764.tif 000005
【図４】
2009270764.tif 000006
【図５】
2009270764.tif 000007
【図６】
2009270764.tif 000008
【図７】
2009270764.tif 000009
【図８】
2009270764.tif 000010
【図９】
2009270764.tif 000011
【図１０】
2009270764.tif 000012
【図１１】
2009270764.tif 000013
【図１２】
2009270764.tif 000014
【図１３】
2009270764.tif 000015
【図１４】
2009270764.tif 000016